(57)【特許請求の範囲】
【請求項１】
障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記一対のミラーを収納するケース体と、を備え、
前記一対のミラーは、その平面に沿った方向で前記ケース体内に挿入され、
前記ケース体は、前記一対のミラーの各々の周縁が挿入される隙間を有するガイド部を備えてなることを特徴とする死角補助装置。
【請求項２】
前記ガイド部は、前記一対のミラーの各々の周縁が圧入されて前記一対のミラーを固定する圧入部を備えてなることを特徴とする請求項１に記載の死角補助装置。
【請求項３】
前記ケース体は、前記一対のミラーの平面に沿った方向で組み立てられるように複数に分割されてなることを特徴とする請求項１に記載の死角補助装置。
【請求項４】
前記ガイド部は、前記隙間に前記一対のミラーの各々の周縁からなる全ての辺が挿入されることを特徴とする請求項１に記載の死角補助装置。
【請求項５】
前記ガイド部の少なくとも一部は、前記一対のミラーの平面に沿った方向を中心軸として回転可能に設けられ、
前記ガイド部の少なくとも一部を回転させて前記一対のミラー間の角度を調整する角度調整機構を備えてなることを特徴とする請求項１に記載の死角補助装置。
【発明の詳細な説明】
【技術分野】
【０００１】
本発明は、車両内のフロントピラーなどの障害物によって遮られる死角領域の像を映す死角補助装置に関する。
【背景技術】
【０００２】
従来、車両内のフロントピラーなどの障害物によって生じる死角を映す視認装置として、例えば、特許文献１に開示されたものが知られている。この視認装置は、車両前方を映す第１ミラーと、この第１ミラーに入射した光を運転者側に反射させる第２ミラーを備え、車両のフロントピラーを挟む直接視認エリアを通して運転者が見える像と前記第２ミラーに映る像が連続するように、前記第１ミラー及び／または前記第２ミラーを調整可能に構成したものである。
【先行技術文献】
【特許文献】
【０００３】
【特許文献１】特開２００６−２３１９９８号公報
【発明の概要】
【発明が解決しようとする課題】
【０００４】
しかしながら、特許文献１に係る視認装置では、運転者から見て第２ミラー及び風景を遮らないように第１，第２ミラーの互いの位置関係を調整する必要があり、設置作業や調整作業が煩雑であるという問題点があった。また、ミラー配置の高精度化やミラー面の平坦度を高めるために製造時にミラーの組み付け作業が容易であることが望まれる。
【０００５】
本発明は、上記問題点に鑑みてなされたものであり、より容易に視認者が直接視認する像と連続して死角領域の像を映すことが可能であり、また、ミラーの組み付け作業を容易とすることが可能な死角補助装置を提供することを目的とする。
【課題を解決するための手段】
【０００６】
上記目的を達成するため、本発明に係る死角補助装置は、障害物によって遮られる死角領域の像を映す死角補助装置であって、
前記像を表す光を入射し、視認者側に設けられ光の一部を反射し一部を透過する半透過ミラーと、光を前記半透過ミラーへ反射するミラーとが互いに対向するように配置される一対のミラーと、
前記一対のミラーを収納するケース体と、を備え、
前記一対のミラーは、その平面に沿った方向で前記ケース体内に挿入され、
前記ケース体は、前記一対のミラーの各々の周縁が挿入される隙間を有するガイド部を備えてなることを特徴とする。
【発明の効果】
【０００７】
本発明によれば、より容易に視認者が直接視認する像と連続して死角領域の像を映すことが可能となり、また、ミラーの組み付け作業を容易とすることが可能となる。
【図面の簡単な説明】
【０００８】
【図１】本発明の第一の実施形態に係る死角補助装置が配置される車両の運転席付近の概観を示す図である。
【図２】同上死角補助装置の概観を示す平面図である。
【図３】同上死角補助装置の一対のミラーを示す斜視図である。
【図４】同上死角補助装置を示す分解斜視図である。
【図５】同上死角補助装置を示す断面図である。
【図６】同上死角補助装置の第一，第三のガイド部を示す図である。
【図７】同上死角補助装置の変形例を示す図である。
【発明を実施するための形態】
【０００９】
本発明の一実施形態に係る死角補助装置を、図面を参照して説明する。
【００１０】
図１は第一の実施形態に係る死角補助装置１００が配置される車両１の運転席付近の概観を示す図である。車両１は、図１に示すように、ステアリング１０と、ウインドシールドガラス２０と、サイドガラス３０，４０と、フロントピラー５０，６０と、を備える。また、２１，２２は、ウインドシールドガラス２０の周辺部に印刷形成される遮光性の黒セラ（黒セラミック）部である。
【００１１】
車両１において、視認者（主に運転者）は、ウインドシールドガラス２０（黒セラ部２１の部分を除く）とサイドガラス３０，４０が配置される領域では風景を直接視認する一方、フロントピラー５０，６０と黒セラ部２１，２２が配置される領域ではフロントピラー５０，６０と黒セラ部２１，２２とによって視認者の視界が遮られ、風景を直接視認することができない死角領域が生じる。すなわち、フロントピラー５０，６０と黒セラ部２１，２２とは、本発明における障害物に該当する。
【００１２】
次に、図１〜図３に基づいて本実施形態に係る死角補助装置１００の基本構成について説明する。なお、図２は、死角補助装置１００の概観を示す平面図であり、図３は、一対の平面ミラー１１０を示す斜視図である。
死角補助装置１００は、図１及び図２に示すように、視認者側から見て右側（運転者側）のフロントピラー５０に配置され、フロントピラー５０及び黒セラ部２１によって遮られる死角領域Ｄの像を映すものである。なお、死角補助装置１００は、視認者から見てフロントピラー５０及び黒セラ部２１と対向するように配置される。
【００１３】
死角補助装置１００は、図２及び図３に示すように、一対の平面ミラー（一対のミラー）１１０を備える。
【００１４】
一対の平面ミラー１１０は、入射した光の一部を反射し一部を透過する半透過平面ミラー（半透過ミラー）１１１と、平面ミラー（ミラー）１１２とが互いに平行に対向するように配置されることによって構成される。なお、半透過平面ミラー１１１と平面ミラー１１２は後述するケース体に配置されることで平行な位置関係で固定される。なお、本発明の一対のミラーは、互いに対向するように配置されるものであれば完全な平行に配置されなくともよく、また、平面ミラーでなく曲面ミラーであってもよい。
【００１５】
半透過平面ミラー１１１は、視認者側に配置され、例えばポリエチレンテレフタレート、ポリカーボネート、ポリエチレン、アクリル等の透光性の樹脂材料からなる基材の表面にアルミなどの金属を蒸着させることにより、所望の反射率を有する半透過反射層を形成ししてなる。なお、半透過平面ミラー１１１は、基材の表面に誘電体多層膜をコーティングして形成してもよい。半透過平面ミラー１１１は、平面ミラー１１２と対向する基部１１１ａと基部１１１ａから延設される延設部１１１ｂとを有し、半透過平面ミラー１１１と平面ミラー１１２とが水平方向に段違い状となるように配置される。
【００１６】
平面ミラー１１２は、その平面（反射面）が半透過平面ミラー１１１の平面（半透過反射面）と平行となるように配置されるものであり、例えば上述の透光性樹脂材料からなる基材の表面にアルミなどの金属を蒸着させてなる平面アルミ蒸着ミラーである。
【００１７】
半透過平面ミラー１１１と平面ミラー１１２とは、それぞれの平面（半透過反射面及び反射面）が、一対の平面ミラー１１０における光Ｌの進行方向（図３における矢印方向）に対して垂直方向の幅が一対の平面ミラー１１０における光Ｌの進行方向に向かって徐々に小さくなるように、略楔状に形成されている。視認者の視野範囲から外れる不要個所を除去して小型化及び軽量化するためである。また、半透過平面ミラー１１１の入射側端部（入射側の側辺）Ｅ１０と、平面ミラー１１２の入射側端部（入射側の側辺）Ｅ１１とは、ウインドシールドガラス２０のガラス面に沿って傾斜している。ウインドシールドガラス２０のガラス面に近接して配置させるためである。
【００１８】
次に、図２を用いて、一対の平面ミラー１１０の作用について説明する。なお、図２は、視認者が運転席に着座した状態を示しており、視点２は視認者の視点（アイポイント）を示している。
【００１９】
図２において、視認者（視点２）の前方視界には、フロントピラー５０（図示しないが黒セラ部２１も含む）によって遮られる死角領域Ｄが生じる。したがって、視点２からは死角領域Ｄに存在する物体Ｍを直接視認することができない。
一方、物体Ｍからの光Ｌは、一対の平面ミラー１１０に入射し、一対の平面ミラー１１０の間で反射を繰り返しつつ、一部の光Ｌは一対の平面ミラー１１０から出射する（半透過平面ミラー１１１を透過する）。なお、一対の平面ミラー１１０に入射し、一対の平面ミラー１１０の間で反射を繰り返すのは一対の平面ミラー１１０の平行な平面に対して傾きを有する光である。一対の平面ミラー１１０から出射する光Ｌの一部は、視点２に達する。したがって、視点２からは直接視認できる風景と連続して平面ミラー１１２に映る物体Ｍの像を半透過平面ミラー１１１越しに視認することができる。なお、死角領域Ｄのうちフロントピラー５０の背面側の僅かな領域（ハッチングで示す部分）は、この領域からの光が一対の平面ミラー１１０に入射できず、その像を一対の平面ミラー１１０によって映すことができないが、それ以外の殆どの領域において死角領域Ｄの像を一対の平面ミラー１１０によって映すことができる。
なお、死角領域Ｄの像を一対の平面ミラー１１０によって映すにあたって、視認者は、死角補助装置１００をフロントピラー５０の任意の高さ（視点２に合った高さ）に、一対の平面ミラー１１０に死角領域Ｄの像が映るように、すなわち、死角領域Ｄからの光Ｌが視点２に達するように一対の平面ミラー１１０の角度を調整して配置する。半透過平面ミラー１１１と平面ミラー１１２とは互いの位置関係が平行に固定されるため、一度の配置作業で一対の平面ミラー１１０を同時に配置することができ、また、一度の調整作業で一対の平面ミラー１１０の角度を同時に調整することができる。
【００２０】
次に、死角補助装置１００の外装構造について図４から図６を用いて説明する。
【００２１】
図４及び図５に示すように、死角補助装置１００は、一対の平面ミラー１１０と、ケース体１２０と、を備える。なお、図４は死角補助装置１００の分解斜視図であり、図５（ａ）は、図４のＸ−Ｘ線断面図であり、図５（ｂ）は一対の平面ミラー１１０をケース体１２０に収納した状態を示している。図４及び図５においては、視認者から見て手前側を「前」、奥行き側を「後」として説明する。
【００２２】
ケース体１２０は、一対の平面ミラー１１０を収納するものであって、筐体部１２１と、蓋部１２２と、に分割されており、筐体部１２１と蓋部１２２とを組み立てることで構成される。
【００２３】
筐体部１２１は、ＡＢＳなどの遮光性の樹脂材料からなり、一対の平面ミラー１１０を収納する空間を有し、その平面に第一の開口部１２１ａと、第二の開口部１２１ｂと、第三の開口部１２１ｃと、第四の開口部１２１ｄと、を備える。第一の開口部１２１ａは、半透過平面ミラー１１１の半透過反射面を露出させるものである。第二の開口部１２１ｂは、一対の平面ミラー１１０の間に死角領域Ｄからの光Ｌを取り込むものである。第三の開口部１２１ｃは、平面ミラー１１２で反射した光Ｌを視認者側に出射するものである。第四の開口部１２１ｄは、一対の平面ミラー１１０をその平面（半透過反射面及び反射面）に沿って筐体部１２１の内部に挿入するためのものであり、一対の平面ミラー１１０を挿通するのに十分な大きさで形成される。第一の開口部１２１ａには、複数のルーバー１２１ｅが設けられている。複数のルーバー１２１ｅは、第一の開口部１２１ａに所定間隔で設けられる平板部であり、半透過平面ミラー１１１の視認者側に位置し視認者側から所定の角度で（主として半透過平面ミラー１１１あるいは平面ミラー１１２で反射されて視点２に至る入射角度で）一対の平面ミラー１１０に入射する外光を遮る遮光部として機能する。また、筐体部１２１の内面（左右側面及び下面）には、筐体部１２１の外形に沿って、前方側に位置し半透過平面ミラー１１１の周縁が挿入される溝部１２１ｆ（隙間）を有する第一のガイド部１２１ｇと、後方側に位置し平面ミラー１１２の周縁が挿入される溝部１２１ｈ（隙間）を有する第二のガイド部１２１ｉと、が設けられている。
【００２４】
蓋部１２２は、筐体部１２１と同様にＡＢＳなどの遮光性の樹脂材料からなり、一対の平面ミラー１１０を収納した筐体部１２１の第四の開口部１２２ｄを塞ぐ平板部材である。蓋部１２２の下面には、蓋部１２２の長手方向に沿って、前方側に位置し半透過平面ミラー１１１の周縁が挿入される溝部１２２ａ（隙間）を有する第三のガイド部１２２ｂと、後方側に位置し平面ミラー１１２の周縁が挿入される溝部１２２ｃ（隙間）を有する第四のガイド部１２２ｄと、が設けられている。
【００２５】
前述のように、筐体部１２１の内面にはそれぞれ第一，第二のガイド部１２１ｇ，１２２ｉが設けられ、蓋部１２２の下面にはそれぞれ第三，第四のガイド部１２２ｂ，１２２ｄが設けられている。第一，第二のガイド部１２１ｇ，１２２ｉと第三，第四のガイド部１２２ｂ，１２２ｄとは、一対の平面ミラー１１０の各々の周縁が挿入される隙間を有する本発明のガイド部として機能する。すなわち、第一のガイド部１２１ｇと第三のガイド部１２２ｂは、前記ガイド部のうち半透過平面ミラー１１１の周縁が挿入される隙間を有する前側のガイド部として機能し、第二のガイド部１２１ｉと第四のガイド部１２２ｄは、前記ガイド部のうち平面ミラー１１２の周縁が挿入される隙間を有する後側のガイド部として機能する。
【００２６】
次に、第一，第二のガイド部１２１ｇ，１２１ｉと第三，第四のガイド部１２２ｂ，１２２ｄの詳細について図６を用いて説明する。図６（ａ）は第一のガイド部１２１ｇと第三のガイド部１２２ｂの正面図であり、図６（ｂ）は図６（ａ）のＹ１−Ｙ１線断面図であり、図６（ｃ）は図６（ａ）のＹ２−Ｙ２線断面図であり、図６（ｄ）は図６（ａ）のＹ３−Ｙ３線断面図であり、図６（ｅ）は図６（ａ）のＺ−Ｚ線断面図である。なお、以下の説明は、第一のガイド部１２１ｇと第三のガイド部１２２ｂについてのみ行うが、第二のガイド部１２１ｉは第一のガイド部１２１ｇと同様であり、第四のガイド部１２２ｄは第三のガイド部１２２ｂと同様であるものとする。
第一のガイド部１２１ｇは、図６（ａ）に示すように、略菱形状の半透過平面ミラー１１１の周縁からなる４つの辺のうち３辺（左右側辺及び下辺）に対応して筐体部１２１と一体的にあるいは別体で略Ｕ字状に設けられる角柱状部材であり、その内面側に溝部１２１ｆが形成される。すなわち、第一のガイド部１２１ｇの溝部１２１ｆには、半透過平面ミラー１１１の周縁のうち３辺が挿入される格好となる。図６（ｂ），（ｃ），（ｄ）に示すように、溝部１２１ｆは、その幅が半透過平面ミラー１１１の板厚より若干大きく形成され、半透過平面ミラー１１１の周縁部を挿入可能とし、また、半透過平面ミラー１１１を保持する。また、溝部１２１ｆのうち半透過平面ミラー１１１の下辺に対応する個所は、下端（底）側が半透過平面ミラー１１１の板厚と丁度同じか若干小さく形成され、半透過平面ミラー１１１の周縁（下辺）が圧入されることで半透過平面ミラー１１１を固定する圧入部として機能する。
第三のガイド部１２２ｂは、図６（ａ）に示すように、半透過平面ミラー１１１の周縁のうち第一のガイド部１２１ｇの溝部１２１ｆに挿入されない１辺（上辺）に対応して蓋部１２２に一体的あるいは別体で直線状に設けられる角柱状部材であり、その下面側に溝部１２２ａが形成される。すなわち、第三のガイド部１２２ｂの溝部１２２ａには、半透過平面ミラー１１１の周縁のうち１辺が挿入される格好となる。図６（ｅ）に示すように、溝部１２２ａは、その幅が下側では半透過平面ミラー１１１の板厚より若干大きく形成され、半透過平面ミラー１１１の周縁部を挿入可能とし、上端側が半透過平面ミラー１１１の板厚と丁度同じか若干小さく形成され、半透過平面ミラー１１１の周縁（上辺）が圧入されることで半透過平面ミラー１１１を固定する圧入部として機能する。
【００２７】
（一対の平面ミラー１１０の収納及び固定方法）
まず、半透過平面ミラー１１１と平面ミラー１１２とを、筐体部１２１の第四の開口部１２１ｄからそれぞれの平面（半透過反射面及び反射面）に沿ってスライドさせ、筐体部１２１内に挿入する。このとき、半透過平面ミラー１１１は、その周縁のうち左右側辺を第一のガイド部１２１ｇの溝部１２１ｆに挿入させ、溝部１２１ｆによって案内されながら（挿入方向及び挿入位置を規制されながら）筐体部１２１内にスライドされる。さらに、半透過平面ミラー１１１は、その下辺が下側の溝部１２１ｆの下端（幅狭な個所）に圧入されて固定される。また、平面ミラー１１２は、その周縁のうち左右側辺を第二のガイド部１２１ｉの溝部１２１ｈに挿入させ、溝部１２１ｈによって案内されながら筐体部１２１内にスライドされる。さらに、平面ミラー１１２は、その下辺が下側の溝部１２１ｈの下端（幅狭な個所）に圧入されて強固に固定される。なお、半透過平面ミラー１１１及び平面ミラー１１２をその平面に沿ってスライドさせることを考慮すると、溝部１２１ｆ及び１２２ｈの半透過平面ミラー１１１及び平面ミラー１１２を圧入する部分は、本実施形態のように、スライド方向の端に設けられることが望ましい。
次に、蓋部１２２を、筐体部１２１の第四の開口部１２１ｄを塞ぐように配設する。すなわち、蓋部１２２は半透過平面ミラー１１１及び平面ミラー１１２の平面に沿った方向で筐体部１２１に組み付けられる。このとき、半透過平面ミラー１１１の周縁のうち上辺を第三のガイド部１２２ｂの溝部１２２ａに挿入し、平面ミラー１１２の周縁のうち上辺を第四のガイド部１２２ｄの溝部１２２ｓに挿入する。半透過平面ミラー１１１の周縁及び平面ミラー１１２の周縁がそれぞれ溝部１２２ａ，１２２ｃに挿入されることで、半透過平面ミラー１１１及び平面ミラー１１２が蓋部１２２に対して適正な位置に案内される。さらに、半透過平面ミラー１１１及び平面ミラー１１２は各々の上辺がそれぞれ溝部１２２ａ及び溝部１２２ｃの上端（幅狭な個所）に圧入されて強固に固定される。そして、蓋部１２２をネジやフック等の固定部材を用いて筐体部１２１に対して固定し、死角補助装置１００を得る。
【００２８】
以上の構成からなる死角補助装置１００は、障害物（フロントピラー５０）によって遮られる死角領域Ｄの像を映す死角補助装置１００であって、
前記像を表す光Ｌを入射し、視認者側に設けられ光Ｌの一部を反射し一部を透過する半透過平面ミラー１１１と、光Ｌを半透過平面ミラー１１１へ反射する平面ミラー１１２とが互いに対向するように配置される一対の平面ミラー１１０と、
一対の平面ミラー１１０を収納するケース体１２０と、を備え、
一対の平面ミラー１１０は、その平面に沿った方向でケース体１２０内に挿入され、
ケース体１２０は、一対の平面ミラー１１０の各々の周縁が挿入される溝部１２１ｆ，１２１ｈ，１２２ａ，１２２ｃを有するガイド部（第一，第二のガイド部１２１ｇ，１２１ｉ及び第三，第四のガイド部１２２ｂ，１２２ｄ）を備えてなる。
【００２９】
これにより、一対の平面ミラー１１０の一方に半透過平面ミラー１１１を用いたため、視認者は半透過平面ミラー１１１越しに平面ミラー１１２に映る物体Ｍの像及び風景を視認することができ、一対の平面ミラー１１０の配置位置の自由度が増し、より容易に視認者が直接視認する像（風景）と連続して死角領域Ｄの像を映すことが可能となる。また、死角領域Ｄを撮像するカメラ及び撮像画像を表示する表示器が不要であるためこれらを使用する場合と比較して安価である。また、一対の平面ミラー１１０を溝部１２１ｆ，１２１ｈ，１２２ａ，１２２ｃで案内しながらその平面に沿った方向でケース体１２０内に挿入することによって、一対の平面ミラー１１０の組み付け作業が容易で作業性が良く、ミラー配置の高精度化や半透過反射面及び反射面の平坦度を高めることができる。
【００３０】
また、前記ガイド部は、一対の平面ミラー１１０の各々の周縁が圧入されて一対の平面ミラー１１０を固定する圧入部を備えてなる。
これによれば、圧入によって一対の平面ミラー１１０の各々を固定することによって、半透過平面ミラー１１１の歪みを抑制して歪みのない像を映すことができる。また、接着材や両面テープなどを用いる場合と比較して組み付け作業が容易で作業性が良い。
【００３１】
また、ケース体１２０は、一対の平面ミラー１１０の平面に沿った方向で組み立てられるように複数（筐体部１２１と蓋部１２２）に分割されてなる。
これによれば、ケース体１２０の内部が一対の平面ミラー１１０の平面に沿った方向に解放されるため、一対の平面ミラー１１０を挿入しやすく組み付け作業が容易で作業性が良い。
【００３２】
また、前記ガイド部は、溝部１２１ｆ，１２１ｈ，１２２ａ，１２２ｃに一対の平面ミラー１１０の各々の周縁からなる全ての辺が挿入される。
これによれば、より精度良く一対の平面ミラー１１０を配置することができる。
【００３３】
次に、本実施形態である死角補助装置１００の変形例について図７を用いて説明する。図７（ａ）は、第一のガイド部１２１ｇ及び第三のガイド部１２２ｂを示す正面図であり、図７（ｂ）は、死角補助装置１００の概観を示す平面図である。なお、図７（ｂ）においては説明に必要な部分のみ図示し、その他の部分は省略している。
【００３４】
変形例に係る死角補助装置１００は、前記ガイド部の一部である第一のガイド部１２１ｇと第三のガイド部１２２ｂとが一対の平面ミラー１１０の平面に沿った方向を中心軸として回転可能に設けられ、第一のガイド部１２１ｇと第三のガイド部１２２ｂとを回転させて一対の平面ミラー１１０間の角度を調整する角度調整機構１３０を備える。
【００３５】
第一のガイド部１２１ｇは、その下面に一対の平面ミラー１１０の平面に沿った軸部１２１ｊが設けられており、例えば筐体部１２１に設けられる孔部（図示しない）に軸部１２１ｊが嵌入されることで、軸部１２１ｊを中心軸として回転可能に筐体部１２１に配設される。
【００３６】
第三のガイド部１２２ｂは、その上面に一対の平面ミラー１１０の平面に沿った軸部１２２ｅが設けられており、例えば蓋部１２２に設けられる孔部（図示しない）に軸部１２２ｅが嵌入されることで、軸部１２２ｅを中心軸として回転可能に蓋部１２２に配設される。
【００３７】
角度調整機構１３０は、半透過平面ミラー１１１の半透過反射面側に設けられる角度調整ボルト１３１と、半透過平面ミラー１１１の視認者側に設けられる弾性部材１３２と、を備える。角度調整ボルト１３１は、筐体部１２１に形成される雌ネジ孔（図示しない）に挿通され、半透過平面ミラー１１１と当接するものである。なお角度調整ボルト１３１との当接部は、死角領域Ｄの像を視認するのに影響のない部分に設けられる。また、角度調整ボルトは第一のガイド部１２１ｇあるいは第三のガイド部１２２ｂと当接するものであってもよい。弾性部材１３２は、ゴムやバネなどからなり、半透過平面ミラー１１１を角度調整ボルト１３１に押し当てる弾性力を生じさせるものである。
【００３８】
（角度調整方法）
視認者は、角度調整ボルト１３１を手動で時計回りに回転させ、半透過平面ミラー１１１側に押し込むことで第一のガイド部１２１ｇを軸部１２１ｊを軸に回転させ、また、第三のガイド部１２２ｂを軸部１２２ｅを軸に回転させることで、半透過平面ミラー１１１を視点２側に開くように回転移動させ、半透過平面ミラー１１１の平面ミラー１１２に対する角度θＭを初期位置（例えば平面ミラー１１２と平行となる位置）から最大角度θＭｍａｘ（ケース体１２０の寸法設計によって定まる）まで大きくすることができる。また、視認者は、角度調整ボルト１３１を手動で反時計回りに回転させて外側に抜き出すことで、弾性部材１３２の弾性力によって半透過平面ミラー１１１を視点２と反対側に回転移動させ、半透過平面ミラー１１１の角度θＭを最大角度θＭｍａｘから初期位置まで小さくすることができる。これによって、視認者は、半透過平面ミラー１１１の角度θＭを初期位置から最大角度θＭｍａｘの範囲で調整することができ、本願出願人が特願２０１４−１１８７９３号で記載したように、平面ミラー１１２に映る像と直接視認される前方風景とのズレがなくなる像の位置を調整することができる。
【００３９】
なお、本発明は上記実施形態及び図面によって限定されるものではない。上記実施形態及び図面に変更（構成要素の削除も含む）を加えることができるのはもちろんである。
【００４０】
本発明のガイド部は、連続した形状である必要はなく、複数に分割してケース体１２０に設けられるものであってもよい。また、ガイド部が有する隙間は溝部１２１ｆ，１２１ｈ，１２２ａ，１２２ｃに限定されるものではなく、ガイド部を２つの板状部材で構成し、各板状部材間に間隔を設けることで隙間を形成してもよい。また、ガイド部に設けられる圧入部は、連続した形状である必要はなく、例えばガイド部の隙間に部分的に一対の突出部を複数個所設けて圧入部を構成してもよい。
また、本実施形態において、ケース体１２０は筐体部１２１と蓋部１２２とに分割されるものであったがこれに限られない。例えば複数のルーバー１２１ｅをさらに別体に分割してもよい。さらに、例えば正面から見て略Ｌ字状の第一ケース及び第二ケースに分割され、一対の平面ミラー１１０の平面に沿って組み立てられるものであってもよい。この場合、ガイド部は第一，第二ケースに各々その一部が設けられる格好となる。
さらに、本実施形態の死角補助装置１００に第二，第三の開口部１２１ｂ，１２１ｃを塞ぐ透明カバーを設ける場合、透明カバーをケース体１２０に挿入するために第一，第二のガイド部１２１ｇ，１２１ｉ及び第三，第四のガイド部１２２ｂ，１２２ｄと同様のガイド部を設けてもよい。
【００４１】
本実施形態の死角補助装置１００は、車両１の運転席側から見て右側のフロントピラー５０に配置されるものであったが、左側のフロントピラー６０にも同様の死角補助装置が配置されてもよい。また、車両内の障害物として、フロントピラーの他にもセンターピラーやリアピラーなどに配置され、これらによって遮られる死角領域の像を映す死角補助装置であってもよい。
【００４２】
また、本発明は、車両以外の分野にも障害物によって遮られる死角領域の像を映す死角補助装置として広く適用することができる。例えば、本発明の死角補助装置を住宅に用いる場合、大面積の死角補助装置を天井に取り付けて入射部分のみを壁などから屋外に出すことで屋内に居ながら天井の死角補助装置で空の様子を見ることができ、また、天井から屋内に太陽光を導くことができる。住宅密集地や通常の窓を付けられない事情のある住宅には特に好適である。
また、例えば観光施設等の高層建築物で、高層階の床下に大面積の死角補助装置を埋め込み、光入射部分のみを屋外に出すことで、床下の死角補助装置で眼下の風景を直接足下に感じることが可能となり、建築物の高さを強調することができる。同様の効果を得るために、従来は床下に空間を設ける必要があったが、本発明の死角補助装置によれば既存の建築物にも容易に配置することができ好適である。
このほか、壁面に用いる例としては、道路に近接して塀が立っている見通しの悪い交差点などにおいて、塀の角に本発明の死角補助装置を配置することで、死角領域の歩行者や車両の存在をいち早く認識することができ、出会い頭の事故の防止に貢献することができる。
以上のように、本発明の死角補助装置は、電力などのエネルギーを必要とすることなく、これまで視認することができなかった障害物に遮られた死角領域を、光入射部分のスペースを確保するのみで広範囲に亘って障害物を透けたように視認させることができるものであり、その用途は室内外を問わず広く適用でき、健康、安全あるいは感動など多岐に亘る効果を得ることができる。
【産業上の利用可能性】
【００４３】
本発明は、障害物によって遮られる死角領域の像を映す死角補助装置に好適である。
【符号の説明】
【００４４】
１      車両
２      視点
１００      死角補助装置
１１０      一対の平面ミラー（一対のミラー）
１１１      半透過平面ミラー（半透過ミラー）
１１１ａ    基部
１１１ｂ    延設部
１１２      平面ミラー（ミラー）
１１２ａ    突出部
１２０      ケース体
１２１      筐体部
１２１ａ    第一の開口部
１２１ｂ    第二の開口部
１２１ｃ    第三の開口部
１２１ｄ    第四の開口部
１２１ｅ    ルーバー
１２１ｆ    溝部（隙間）
１２１ｇ    第一のガイド部（ガイド部）
１２１ｈ    溝部（隙間）
１２１ｉ    第二のガイド部（ガイド部）
１２１ｊ    軸部
１２２      蓋部
１２２ａ    溝部（隙間）
１２２ｂ    第三のガイド部（ガイド部）
１２２ｃ    溝部（隙間）
１２２ｄ    第四のガイド部（ガイド部）
１２２ｅ    軸部
１３０      角度調整機構
１３１      角度調整ボルト
１３２      弾性部材
【図１】
0006406029.tif 000002
【図２】
0006406029.tif 000003
【図３】
0006406029.tif 000004
【図４】
0006406029.tif 000005
【図５】
0006406029.tif 000006
【図６】
0006406029.tif 000007
【図７】
0006406029.tif 000008